(57)【要約】      （修正有）【課題】混合レート送信のための改善されたプロトコルを提供する。【解決手段】ワイヤレスデバイスにおいて、方法は、第１のシンボル持続時間を有する第１の部分を含むパケット９００を生成する。パケットは、第１のシンボル持続時間よりも大きい第２のシンボル持続時間を有する第２の部分をさらに含む。第２の部分は信号フィールドの複数の繰り返し部分を含むことができ、繰り返し部分は第２のシンボル持続時間を有する。第１の部分は第１のトレーニングフィールドを含む。本方法は、第１の部分に第２のトレーニングフィールドをプリペンドまたはアペンドすることをさらに含む。第２のトレーニングフィールドは第２のシンボル持続時間を有する。本方法は、パケットを送信することをさらに含む。【選択図】図９
2020014218.tif 000002
【特許請求の範囲】
【請求項１】
ワイヤレス通信の方法であって、
ワイヤレスデバイスにおいて、第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を備える、方法。
【請求項２】
前記プリペンドまたはアペンドすることが、前記第１の部分に前記第２のトレーニングフィールドをプリペンドすることを備え、前記第２のトレーニングフィールドが、前記第１のトレーニングフィールドの周期性とは異なる周期性を有する、請求項１に記載の方法。
【請求項３】
前記第２のトレーニングフィールドが、前記第１のトレーニングフィールドの前記周期性の少なくとも２倍の周期性を有する、請求項２に記載の方法。
【請求項４】
前記パケットが前記第１の部分の後に信号フィールドをさらに備え、前記信号フィールドが前記第２のシンボル持続時間を有する、請求項２に記載の方法。
【請求項５】
前記パケットが前記第１の部分の後に１つまたは複数のシンボルをさらに備え、前記シンボルが前記第１のシンボル持続時間を有する、請求項２に記載の方法。
【請求項６】
前記第１の部分が信号フィールドを備え、
前記第２の部分が前記信号フィールドの複数の繰り返し部分を備え、前記繰り返し部分が前記第２のシンボル持続時間を有する、
請求項２に記載の方法。
【請求項７】
前記信号フィールドのｎ個の繰り返し部分が、それぞれ、前記信号フィールドのキャリアトーンのサブセットを備える、請求項６に記載の方法。
【請求項８】
前記プリペンドまたはアペンドすることが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を備える、請求項１に記載の方法。
【請求項９】
前記パケットが、スケジュールされたマルチユーザ（ＭＵ）直交周波数分割多元接続（ＯＦＤＭＡ）アップリンク（ＵＬ）パケットを備える、請求項１に記載の方法。
【請求項１０】
前記パケットが、スケジュールされていないシングルユーザ（ＳＵ）直交周波数分割多元接続（ＯＦＤＭＡ）アップリンク（ＵＬ）パケットを開始する、請求項１に記載の方法。
【請求項１１】
ワイヤレス通信の装置であって、
プロセッサであって、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
を行うように構成されたプロセッサと、
前記パケットを送信するように構成された送信機と
を備える、装置。
【請求項１２】
前記プロセッサが、前記第１の部分に前記第２のトレーニングフィールドをプリペンドするように構成され、前記第２のトレーニングフィールドが、前記第１のトレーニングフィールドの周期性とは異なる周期性を有する、請求項１１に記載の装置。
【請求項１３】
前記第２のトレーニングフィールドが、前記第１のトレーニングフィールドの前記周期性の少なくとも２倍の周期性を有する、請求項１２に記載の装置。
【請求項１４】
前記パケットが前記第１の部分の後に信号フィールドをさらに備え、前記信号フィールドが前記第２のシンボル持続時間を有する、請求項１２に記載の装置。
【請求項１５】
前記パケットが前記第１の部分の後に１つまたは複数のシンボルをさらに備え、前記シンボルが前記第１のシンボル持続時間を有する、請求項１２に記載の装置。
【請求項１６】
前記第１の部分が信号フィールドを備え、
前記第２の部分が前記信号フィールドの複数の繰り返し部分を備え、前記繰り返し部分が前記第２のシンボル持続時間を有する、
請求項１２に記載の装置。
【請求項１７】
前記信号フィールドのｎ個の繰り返し部分が、それぞれ、前記信号フィールドのキャリアトーンのサブセットを備える、請求項１５に記載の装置。
【請求項１８】
前記プロセッサが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を行うように構成された、請求項１１に記載の装置。
【請求項１９】
前記パケットが、スケジュールされたマルチユーザ（ＭＵ）直交周波数分割多元接続（ＯＦＤＭＡ）アップリンク（ＵＬ）パケットを備える、請求項１１に記載の装置。
【請求項２０】
前記パケットが、スケジュールされていないシングルユーザ（ＳＵ）直交周波数分割多元接続（ＯＦＤＭＡ）アップリンク（ＵＬ）パケットを開始する、請求項１１に記載の装置。
【請求項２１】
ワイヤレス通信の装置であって、
第１のシンボル持続時間を有する第１の部分と、前記第１のシンボル持続時間よりも大きい第２のシンボル持続時間を有する第２の部分とを備えるパケットを生成するための手段と、ここで、前記第１の部分が第１のトレーニングフィールドを備える、
前記第１の部分に第２のトレーニングフィールドをプリペンドまたはアペンドするための手段と、ここで、前記第２のトレーニングフィールドが前記第２のシンボル持続時間を有する、
前記パケットを送信するための手段と
を備える、装置。
【請求項２２】
プリペンドまたはアペンドするための前記手段が、前記第１の部分に前記第２のトレーニングフィールドをプリペンドするための手段を備え、前記第２のトレーニングフィールドが、前記第１のトレーニングフィールドの周期性とは異なる周期性を有する、請求項２１に記載の装置。
【請求項２３】
前記第２のトレーニングフィールドが、前記第１のトレーニングフィールドの前記周期性の少なくとも２倍の周期性を有する、請求項２２に記載の装置。
【請求項２４】
前記パケットが前記第１の部分の後に信号フィールドをさらに備え、前記信号フィールドが前記第２のシンボル持続時間を有する、請求項２２に記載の装置。
【請求項２５】
前記パケットが前記第１の部分の後に１つまたは複数のシンボルをさらに備え、前記シンボルが前記第１のシンボル持続時間を有する、請求項２２に記載の装置。
【請求項２６】
前記第１の部分が信号フィールドを備え、
前記第２の部分が前記信号フィールドの複数の繰り返し部分を備え、前記繰り返し部分が前記第２のシンボル持続時間を有する、
請求項２２に記載の装置。
【請求項２７】
前記信号フィールドのｎ個の繰り返し部分が、それぞれ、前記信号フィールドのキャリアトーンのサブセットを備える、請求項２５に記載の装置。
【請求項２８】
プリペンドまたはアペンドするための前記手段が、
前記第１の部分に前記第１のシンボル持続時間を有する１つまたは複数のシンボルをアペンドするための手段と、
前記第２のトレーニングフィールドの利得をブーストするための手段と、
前記１つまたは複数のシンボルに前記第２のトレーニングフィールドをアペンドするための手段と
を備える、請求項２１に記載の装置。
【請求項２９】
前記パケットが、スケジュールされたマルチユーザ（ＭＵ）直交周波数分割多元接続（ＯＦＤＭＡ）アップリンク（ＵＬ）パケットを備える、請求項２１に記載の装置。
【請求項３０】
非一時的コンピュータ可読媒体であって、
実行されたとき、装置に、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を行わせるコードを備える、非一時的コンピュータ可読媒体。
【発明の詳細な説明】
【技術分野】
【０００１】
[0001]本開示のいくつかの態様は、一般にワイヤレス通信に関し、より詳細には、ワイヤレスネットワークにおける混合レート通信のための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００４】
[0004]複数のデバイス間でワイヤレス通信される情報のボリュームおよび複雑さが増加し続けるにつれて、物理レイヤ制御信号に必要なオーバーヘッド帯域幅は、少なくとも線形的に増加し続ける。物理レイヤ制御情報を伝達するために利用されるビット数は、必要とされるオーバーヘッドのかなりの部分になった。したがって、限られた通信リソースでは、特に、トラフィックの複数のタイプが、アクセスポイントから複数の端末に同時並行して送られるとき、この物理レイヤ制御情報を伝達するために必要とされるビット数を低減することが望ましい。たとえば、ワイヤレスデバイスが、アクセスポイントに低レートアップリンク通信を送るとき、後方互換性を維持しながら、シグナリングおよびパケット収集のために使用されるビット数を最小限に抑えることが望ましい。したがって、混合レート送信のための改善されたプロトコルが必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細を添付の図面および以下の説明に記載する。他の特徴、態様、および利点は、説明、図面、および特許請求の範囲から明らかになり得る。以下の図の相対寸法は一定の縮尺で描かれていないことがあることに留意されたい。
【０００７】
[0007]本開示の一態様は、ワイヤレス通信の方法を提供する。本方法は、ワイヤレスデバイスにおいて、第１のシンボル持続時間を有する第１の部分を含むパケットを生成することを含む。パケットは、第１のシンボル持続時間よりも大きい第２のシンボル持続時間を有する第２の部分をさらに含む。第１の部分は第１のトレーニングフィールドを含む。本方法は、第１の部分に第２のトレーニングフィールドをプリペンド（prepend）またはアペンド（append）することをさらに含む。第２のトレーニングフィールドは第２のシンボル持続時間を有する。本方法は、パケットを送信することをさらに含む。
【０００８】
[0008]様々な実施形態では、前記プリペンドまたはアペンドすることは、第１の部分に第２のトレーニングフィールドをプリペンドすることを含むことができる。第２のトレーニングフィールドは、第１のトレーニングフィールドの周期性とは異なる周期性を有することができる。様々な実施形態では、本方法は、第２のトレーニングフィールドのための周期性の１つおきの倍数の１つまたは複数のサンプルの符号を反転させることをさらに含むことができる。様々な実施形態では、第２のトレーニングフィールドは、第１のトレーニングフィールドの周期性の少なくとも２倍の周期性を有することができる。
【０００９】
[0009]様々な実施形態では、パケットは第１の部分の後に信号フィールドをさらに含むことができ、信号フィールドは第２のシンボル持続時間を有する。様々な実施形態では、パケットは、第１の部分の後に１つまたは複数のシンボルをさらに含むことができる。シンボルは第１のシンボル持続時間を有することができる。
【００１０】
[0010]様々な実施形態では、第１の部分は信号フィールドを含むことができる。第２の部分は信号フィールドの複数の繰り返し部分を含むことができる。繰り返し部分は第２のシンボル持続時間を有することができる。
【００１１】
[0011]様々な実施形態では、信号フィールドのｎ個の繰り返し部分は、それぞれ、信号フィールドのキャリアトーンのサブセットを含むことができる。様々な実施形態では、前記プリペンドまたはアペンドすることは、第１の部分に第１のシンボル持続時間を有する１つまたは複数のシンボルをアペンドすることと、第２のトレーニングフィールドの利得をブーストすることと、１つまたは複数のシンボルに第２のトレーニングフィールドをアペンドすることとを含むことができる。
【００１２】
[0012]様々な実施形態では、パケットは、スケジュールされたマルチユーザ（ＭＵ）直交周波数分割多元接続（ＯＦＤＭＡ）アップリンク（ＵＬ）パケットを含むことができる。様々な実施形態では、パケットは、スケジュールされていないシングルユーザ（ＳＵ）直交周波数分割多元接続（ＯＦＤＭＡ）アップリンク（ＵＬ）パケットを開始する。
【００１３】
[0013]別の態様は、ワイヤレス通信の装置を提供する。本装置は、第１のシンボル持続時間を有する第１の部分を含むパケットを生成するように構成されたプロセッサを含む。パケットは、第１のシンボル持続時間よりも大きい第２のシンボル持続時間を有する第２の部分をさらに含む。第１の部分は第１のトレーニングフィールドを含む。プロセッサは、第１の部分に第２のトレーニングフィールドをプリペンドまたはアペンドするようにさらに構成される。第２のトレーニングフィールドは第２のシンボル持続時間を有する。本装置は、パケットを送信するように構成された送信機をさらに含む。
【００１４】
[0014]様々な実施形態では、プロセッサは、第１の部分に第２のトレーニングフィールドをプリペンドするように構成され得る。第２のトレーニングフィールドは、第１のトレーニングフィールドの周期性とは異なる周期性を有することができる。様々な実施形態では、プロセッサは、第２のトレーニングフィールドのための周期性の１つおきの倍数の１つまたは複数のサンプルの符号を反転させるようにさらに構成され得る。様々な実施形態では、第２のトレーニングフィールドは、第１のトレーニングフィールドの周期性の少なくとも２倍の周期性を有することができる。
【００１５】
[0015]様々な実施形態では、パケットは、第１の部分の後に信号フィールドをさらに含むことができる。信号フィールドは第２のシンボル持続時間を有することができる。様々な実施形態では、パケットは、第１の部分の後に１つまたは複数のシンボルをさらに含むことができる。シンボルは第１のシンボル持続時間を有することができる。
【００１６】
[0016]様々な実施形態では、第１の部分は信号フィールドを含むことができる。第２の部分は信号フィールドの複数の繰り返し部分を含むことができる。繰り返し部分は第２のシンボル持続時間を有することができる。
【００１７】
[0017]様々な実施形態では、信号フィールドのｎ個の繰り返し部分は、それぞれ、信号フィールドのキャリアトーンのサブセットを含むことができる。様々な実施形態では、プロセッサは、第１の部分に第１のシンボル持続時間を有する１つまたは複数のシンボルをアペンドすることと、第２のトレーニングフィールドの利得をブーストすることと、１つまたは複数のシンボルに第２のトレーニングフィールドをアペンドすることとを行うように構成され得る。
【００１８】
[0018]様々な実施形態では、パケットは、スケジュールされたマルチユーザ（ＭＵ）直交周波数分割多元接続（ＯＦＤＭＡ）アップリンク（ＵＬ）パケットを含むことができる。様々な実施形態では、パケットは、スケジュールされていないシングルユーザ（ＳＵ）直交周波数分割多元接続（ＯＦＤＭＡ）アップリンク（ＵＬ）パケットを開始する。
【００１９】
[0019]別の態様は、ワイヤレス通信の装置を提供する。本装置は、第１のシンボル持続時間を有する第１の部分を含むパケットを生成するための手段を含む。パケットは、第１のシンボル持続時間よりも大きい第２のシンボル持続時間を有する第２の部分をさらに含む。第１の部分は第１のトレーニングフィールドを含む。本装置は、第１の部分に第２のトレーニングフィールドをプリペンドまたはアペンドするための手段をさらに含む。第２のトレーニングフィールドは第２のシンボル持続時間を有する。本装置は、パケットを送信するための手段をさらに含む。
【００２０】
[0020]様々な実施形態では、プリペンドまたはアペンドするための前記手段は、第１の部分に第２のトレーニングフィールドをプリペンドするための手段を含むことができる。第２のトレーニングフィールドは、第１のトレーニングフィールドの周期性とは異なる周期性を有する。様々な実施形態では、本装置は、第２のトレーニングフィールドのための周期性の１つおきの倍数の１つまたは複数のサンプルの符号を反転させるための手段をさらに含むことができる。様々な実施形態では、第２のトレーニングフィールドは、第１のトレーニングフィールドの周期性の少なくとも２倍の周期性を有することができる。
【００２１】
[0021]様々な実施形態では、パケットは、第１の部分の後に信号フィールドをさらに含むことができる。信号フィールドは第２のシンボル持続時間を有することができる。様々な実施形態では、パケットは、第１の部分の後に１つまたは複数のシンボルをさらに含むことができる。シンボルは第１のシンボル持続時間を有することができる。
【００２２】
[0022]様々な実施形態では、第１の部分は信号フィールドを含むことができる。第２の部分は信号フィールドの複数の繰り返し部分を含むことができる。繰り返し部分は第２のシンボル持続時間を有することができる。
【００２３】
[0023]様々な実施形態では、信号フィールドのｎ個の繰り返し部分は、それぞれ、信号フィールドのキャリアトーンのサブセットを含むことができる。様々な実施形態では、プリペンドまたはアペンドするための前記手段は、第１の部分に第１のシンボル持続時間を有する１つまたは複数のシンボルをアペンドするための手段と、第２のトレーニングフィールドの利得をブーストするための手段と、１つまたは複数のシンボルに第２のトレーニングフィールドをアペンドするための手段とを含むことができる。
【００２４】
[0024]様々な実施形態では、パケットは、スケジュールされたマルチユーザ（ＭＵ）直交周波数分割多元接続（ＯＦＤＭＡ）アップリンク（ＵＬ）パケットを含むことができる。様々な実施形態では、パケットは、スケジュールされていないシングルユーザ（ＳＵ）直交周波数分割多元接続（ＯＦＤＭＡ）アップリンク（ＵＬ）パケットを開始する。
【００２５】
[0025]別の態様は、非一時的コンピュータ可読媒体を提供する。本媒体は、実行されたとき、第１のシンボル持続時間を有する第１の部分を含むパケットを生成することを装置に行わせるコードを含む。パケットは、第１のシンボル持続時間よりも大きい第２のシンボル持続時間を有する第２の部分をさらに含む。第１の部分は第１のトレーニングフィールドを含む。本媒体は、実行されたとき、第１の部分に第２のトレーニングフィールドをプリペンドまたはアペンドすることを装置に行わせるコードをさらに含む。第２のトレーニングフィールドは第２のシンボル持続時間を有する。本媒体は、実行されたとき、パケットを送信することを装置に行わせるコードをさらに含む。
【００２６】
[0026]様々な実施形態では、前記プリペンドまたはアペンドすることは、第１の部分に第２のトレーニングフィールドをプリペンドすることを含むことができる。第２のトレーニングフィールドは、第１のトレーニングフィールドの周期性とは異なる周期性を有することができる。様々な実施形態では、本媒体は、実行されたとき、第２のトレーニングフィールドのための周期性の１つおきの倍数の１つまたは複数のサンプルの符号を反転させることを装置に行わせるコードをさらに含むことができる。様々な実施形態では、第２のトレーニングフィールドは、第１のトレーニングフィールドの周期性の少なくとも２倍の周期性を有することができる。
【００２７】
[0027]様々な実施形態では、パケットは、第１の部分の後に信号フィールドをさらに含むことができる。信号フィールドは第２のシンボル持続時間を有することができる。様々な実施形態では、パケットは、第１の部分の後に１つまたは複数のシンボルをさらに含むことができる。シンボルは第１のシンボル持続時間を有することができる。
【００２８】
[0028]様々な実施形態では、第１の部分は信号フィールドを含むことができる。第２の部分は信号フィールドの複数の繰り返し部分を含むことができる。繰り返し部分は第２のシンボル持続時間を有することができる。
【００２９】
[0029]様々な実施形態では、信号フィールドのｎ個の繰り返し部分は、それぞれ、信号フィールドのキャリアトーンのサブセットを備える。様々な実施形態では、前記プリペンドまたはアペンドすることは、第１の部分に第１のシンボル持続時間を有する１つまたは複数のシンボルをアペンドすることと、第２のトレーニングフィールドの利得をブーストすることと、１つまたは複数のシンボルに第２のトレーニングフィールドをアペンドすることとを含むことができる。
【００３０】
[0030]様々な実施形態では、パケットは、スケジュールされたマルチユーザ（ＭＵ）直交周波数分割多元接続（ＯＦＤＭＡ）アップリンク（ＵＬ）パケットを含むことができる。様々な実施形態では、パケットは、スケジュールされていないシングルユーザ（ＳＵ）直交周波数分割多元接続（ＯＦＤＭＡ）アップリンク（ＵＬ）パケットを開始する。
【図面の簡単な説明】
【００３１】
【図１】[0031]本開示の態様が採用され得るワイヤレス通信システムの一例を示す図。
【図２】[0032]図１のワイヤレス通信システム内で採用され得るワイヤレスデバイスにおいて利用され得る様々な構成要素を示す図。
【図３】[0033]８０２．１１システムのために利用可能なチャネルのためのチャネル割振りを示す図。
【図４】[0034]いくつかの現在存在するＩＥＥＥ８０２．１１規格のためのデータパケットフォーマットを示す図。
【図５】いくつかの現在存在するＩＥＥＥ８０２．１１規格のためのデータパケットフォーマットを示す図。
【図６】[0035]現在存在するＩＥＥＥ８０２．１１ａｃ規格のためのフレームフォーマットを示す図。
【図７】[0036]後方互換多元接続ワイヤレス通信を可能にするために使用され得る物理レイヤパケットの例示的な構造を示す図。
【図８】[0037]後方互換低レート多元接続ワイヤレス通信を可能にするために使用され得るアップリンク物理レイヤパケットの例示的な構造を示す図。
【図９】[0038]後方互換低レート多元接続ワイヤレス通信を可能にするために使用され得るアップリンク物理レイヤパケットの別の例示的な構造を示す図。
【図１０】[0039]後方互換低レート多元接続ワイヤレス通信を可能にするために使用され得るアップリンク物理レイヤパケットの別の例示的な構造を示す図。
【図１１】[0040]後方互換低レート多元接続ワイヤレス通信を可能にするために使用され得るアップリンク物理レイヤパケットの別の例示的な構造を示す図。
【図１２】[0041]非表示低レートショートトレーニングフィールドを検出するために使用され得る例示的な検出器を示す図。
【図１３】[0042]レガシー受信機と高効率ワイヤレス受信機の両方についての経時的な、例示的な正規化された相関器出力を示す図。
【図１４】[0043]図１のワイヤレス通信システム内に採用され得るワイヤレス通信の例示的な方法のための別のフローチャートを示す図。
【発明を実施するための形態】
【００３２】
[0044]添付の図面を参照しながら、新規のシステム、装置、および方法の様々な態様について以下でより十分に説明する。ただし、開示する教示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００３３】
[0045]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００３４】
[0046]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなどの任意の通信規格に適用され得る。たとえば、本明細書で説明する様々な態様は、直交周波数分割多元接続（ＯＦＤＭＡ）通信をサポートする８０２．１１プロトコルなど、ＩＥＥＥ８０２．１１プロトコルの一部として使用され得る。
【００３５】
[0047]ＳＴＡなど、複数のデバイスが同時にＡＰと通信することを可能にすることは有益であり得る。たとえば、これは、複数のＳＴＡがより短い時間にＡＰから応答を受信すること、およびより短い遅延でＡＰからデータを送信および受信することができることを可能にすることができる。これはまた、ＡＰが全体的により多くの数のデバイスと通信することを可能にすることができ、帯域幅使用をより効率的にすることもできる。多元接続通信を使用することによって、ＡＰは、たとえば、８０ＭＨｚ帯域幅を介して一度に４つのデバイスに対して、ＯＦＤＭシンボルを多重化することが可能であり得、ここで、各デバイスは２０ＭＨｚ帯域幅を利用する。したがって、多元接続は、ＡＰがそのＡＰにとって利用可能なスペクトルをより効率的に使用することを可能にすることができるので、多元接続は、いくつかの態様では、有益であり得る。
【００３６】
[0048]ＡＰとＳＴＡとの間で送信されるシンボルの異なるサブキャリア（または、トーン）を異なるＳＴＡに割り当てることによって、８０２．１１ファミリーなど、ＯＦＤＭシステム内でそのような多元接続プロトコルを実装することが提案されている。このようにして、ＡＰは、単一の送信されるＯＦＤＭシンボルを用いて複数のＳＴＡと通信し得、ここで、シンボルの異なるトーンが異なるＳＴＡによって復号および処理され、したがって、複数のＳＴＡへの同時データ転送を可能にする。これらのシステムは、ＯＦＤＭＡシステムと呼ばれることがある。
【００３７】
[0049]そのようなトーン割振り方式は、本明細書では「高効率」（ＨＥ）システムと呼ばれ、そのような複数トーン割振りシステム内で送信されるデータパケットは高効率（ＨＥ）パケットと呼ばれることがある。後方互換プリアンブルフィールドを含むそのようなパケットの様々な構造について以下で詳細に説明する。
【００３８】
[0050]添付の図面を参照しながら、新規のシステム、装置、および方法の様々な態様について以下でより十分に説明する。ただし、本開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００３９】
[0051]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００４０】
[0052]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ワイヤレスプロトコルなど、任意の通信規格に適用され得る。
【００４１】
[0053]いくつかの態様では、ワイヤレス信号は、８０２．１１プロトコルに従って送信され得る。いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局またはＳＴＡとも呼ばれる）クライアントがあり得る。概して、ＡＰはＷＬＡＮのためのハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉＦｉ準拠ワイヤレスリンクを介してＡＰに接続する。いくつかの実装形態では、ＳＴＡはＡＰとしても使用され得る。
【００４２】
[0054]アクセスポイント（ＡＰ）はまた、基地局、ワイヤレスアクセスポイント、アクセスノードまたは同様の用語を含むか、それらのいずれかとして実装されるか、あるいはそれらのいずれかとして知られていることがある。
【００４３】
[0055]局「ＳＴＡ」はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、または衛星ラジオ）、ゲームデバイスまたはシステム、全地球測位システムデバイス、あるいはワイヤレス媒体を介するネットワーク通信のために構成された他の好適なデバイスに組み込まれ得る。
【００４４】
[0056]上記で説明したように、本明細書で説明するデバイスのうちのいくつかは、たとえば、８０２．１１規格を実装することができる。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえば、パーソナルヘルスケアのために使用され得る。それらのデバイスはまた、（たとえば、ホットスポットとともに使用するための）拡張された範囲のインターネット接続性を可能にするために、またはマシンツーマシン通信を実装するために、監視のために使用され得る。
【００４５】
[0057]図１に、本開示の態様が採用され得るワイヤレス通信システム１００の一例を示す。ワイヤレス通信システム１００は、ワイヤレス規格、たとえば、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、高効率ワイヤレス規格、たとえば８０２．１１ａｘ規格に従って動作することができる。ワイヤレス通信システム１００は、（本明細書では、総称的に（１つまたは複数の）ＳＴＡ１０６と呼ばれることがある）ＳＴＡ１０６Ａ〜１０６Ｄと通信する、ＡＰ１０４を含むことができる。
【００４６】
[0058]様々なプロセスおよび方法は、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００４７】
[0059]ＡＰ１０４からＳＴＡ１０６Ａ〜１０６Ｄのうちの１つまたは複数への送信を可能にする通信リンクはダウンリンク（ＤＬ）１０８と呼ばれることがあり、ＳＴＡ１０６Ａ〜１０６Ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００４８】
[0060]ＡＰ１０４は、基地局として働き、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって実行され得る。
【００４９】
[0061]いくつかの態様では、ＳＴＡ１０６は、ＡＰ１０４に通信を送るために、および／またはＡＰ１０４から通信を受信するために、ＡＰ１０４に関連することが必要であり得る。一態様では、関連付けるための情報は、ＡＰ１０４によるブロードキャスト中に含まれる。そのようなブロードキャストを受信するために、ＳＴＡ１０６は、たとえば、カバレージ領域にわたって広カバレージ探索（broad coverage search）を実行することができる。また、探索は、ＳＴＡ１０６が、たとえば、灯台方式でカバレージ領域を掃引することによって実行され得る。関連付けるための情報を受信した後に、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００５０】
[0062]一実施形態では、ＡＰ１０４は、ＡＰ高効率ワイヤレスコントローラ（ＨＥＷ）１５４を含む。ＡＰ  ＨＥＷ１５４は、８０２．１１プロトコルを使用して、ＡＰ１０４とＳＴＡ１０６Ａ〜１０６Ｄとの間の通信を可能にするために、本明細書で説明する動作の一部または全部を実行することができる。ＡＰ  ＨＥＷ１５４の機能については、図４〜図２０に関して以下でより詳細に説明する。
【００５１】
[0063]代替的にまたは追加として、ＳＴＡ１０６Ａ〜１０６Ｄは、ＳＴＡ  ＨＥＷ１５６を含むことができる。ＳＴＡ  ＨＥＷ１５６は、８０２．１１プロトコルを使用して、ＳＴＡ１０６Ａ〜１０６ＤとＡＰ１０４との間の通信を可能にするために、本明細書で説明する動作の一部または全部を実行することができる。ＳＴＡ  ＨＥＷ１５６の機能について、図２〜図１１に関して以下でより詳細に説明する。
【００５２】
[0064]図２に、図１のワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を含むか、またはＳＴＡ１０６Ａ〜１０６Ｄのうちの１つを含むことができる。
【００５３】
[0065]ワイヤレスデバイス２０２は、ワイヤレスデバイス２０２の動作を制御するプロセッサ２０４を含むことができる。プロセッサ２０４は中央処理ユニット（ＣＰＵ）またはハードウェアプロセッサと呼ばれることもある。読取り専用メモリ（ＲＯＭ）とランダムアクセスメモリ（ＲＡＭ）の両方を含むことができるメモリ２０６は、プロセッサ２０４に命令とデータとを与える。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００５４】
[0066]プロセッサ２０４は、１つまたは複数のプロセッサを用いて実装された処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、あるいは情報の計算または他の操作を実行することができる任意の他の好適なエンティティの任意の組合せを用いて実装され得る。プロセッサ２０４、またはプロセッサ２０４およびメモリ２０６は、以下でより詳細に説明され得るように、パケットタイプフィールド中の値を含むパケットを生成し、パケットタイプフィールド中の値に少なくとも部分的に基づいて、複数の後続のフィールドの各々にパケットの複数のビットを割り振るために利用され得る、図１のパケット生成器１２４に対応することができる。
【００５５】
[0067]処理システムは、ソフトウェアを記憶するための非一時的機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、またはコードの任意の他の好適な形式の）コードを含むことができる。命令は、１つまたは複数のプロセッサによって実行されたとき、本明細書で説明する様々な機能を処理システムに実行させる。
【００５６】
[0068]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、多入力多出力（ＭＩＭＯ）通信中に利用され得る、複数の送信機、複数の受信機、複数のトランシーバ、および／または複数のアンテナを含むことができる（図示せず）。
【００５７】
[0069]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ）を含むことができる。いくつかの態様では、ＰＰＤＵはパケットと呼ばれる。
【００５８】
[0070]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達し、および／またはユーザからの入力を受信する、任意の要素または構成要素を含むことができる。
【００５９】
[0071]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは与え得ることを、当業者は理解し得る。
【００６０】
[0072]図２には、いくつかの別個の構成要素が示されているが、構成要素のうちの１つまたは複数が組み合わせられるか、または共通に実装され得ることを、当業者は認識することができる。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００６１】
[0073]上記で説明したように、ワイヤレスデバイス２０２は、ＡＰ１０４またはＳＴＡ１０６Ａ〜１０６Ｄのうちの１つを含むことができ、通信を送信および／または受信するために使用され得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実行するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００６２】
[0074]図３に、８０２．１１システムのために利用可能なチャネルのためのチャネル割振りを示す。様々なＩＥＥＥ８０２．１１システムは、５ＭＨｚチャネル、１０ＭＨｚチャネル、２０ＭＨｚチャネル、４０ＭＨｚチャネル、８０ＭＨｚチャネル、および１６０ＭＨｚチャネルなど、いくつかの異なるサイズのチャネルをサポートする。たとえば、８０２．１１ａｃデバイスは、２０ＭＨｚチャネル、４０ＭＨｚチャネル、および８０ＭＨｚチャネル帯域幅の受信および送信をサポートすることができる。より大きいチャネルが、２つの隣接する、より小さいチャネルを含むことができる。たとえば、８０ＭＨｚチャネルは２つの隣接する４０ＭＨｚチャネルを含むことができる。現在実装されているＩＥＥＥ８０２．１１システムでは、２０ＭＨｚチャネルは、３１２．５ｋＨｚだけ互いから分離された、６４個のサブキャリアを含んでいる。これらのサブキャリアのうちの、より少ない数のサブキャリアが、データを搬送するために使用され得る。たとえば、２０ＭＨｚチャネルは、−１〜−２８、および１〜２８の番号を付けられた送信サブキャリア、すなわち５６個のサブキャリアを含んでいることがある。これらのキャリアのうちのいくつかはまた、パイロット信号を送信するために使用され得る。
【００６３】
[0075]図４および図５に、いくつかの現在存在するＩＥＥＥ８０２．１１規格のためのデータパケットフォーマットを示す。まず図４を参照すると、ＩＥＥＥ８０２．１１ａ、１１ｂ、および１１ｇのためのパケットフォーマットが示されている。このフレームは、ショートトレーニングフィールド４２２と、ロングトレーニングフィールド４２４と、信号フィールド４２６とを含む。トレーニングフィールドはデータを送信しないが、トレーニングフィールドは、データフィールド４２８中のデータを復号するためにＡＰと受信ＳＴＡとの間の同期を可能にする。
【００６４】
[0076]信号フィールド４２６は、配信されているパケットの性質に関する情報をＡＰからＳＴＡに配信する。ＩＥＥＥ８０２．１１ａ／ｂ／ｇデバイスでは、この信号フィールドは、２４ビットの長さを有し、ＢＰＳＫ変調および１／２のコードレートを使用して、６Ｍｂ／ｓのレートで単一のＯＦＤＭシンボルとして送信される。ＳＩＧフィールド４２６中の情報は、パケット中のデータの変調方式（たとえば、ＢＰＳＫ、１６ＱＡＭ、６４ＱＡＭなど）を記述する４ビットと、パケット長のための１２ビットとを含む。この情報は、パケットがＳＴＡを対象とするとき、そのパケット中のデータを復号するためにＳＴＡによって使用される。パケットが特定のＳＴＡを対象としないとき、ＳＴＡは、ＳＩＧシンボル４２６の長さフィールド中で定義された時間期間中、いずれの通信試行をも延期することができ、電力を節約するために、最高約５．５ミリ秒のパケット期間中、スリープモードに入ることができる。
【００６５】
[0077]ＩＥＥＥ８０２．１１に特徴が追加されたので、追加の情報をＳＴＡに与えるために、データパケット中のＳＩＧフィールドのフォーマットに対する変更が開発された。図５に、ＩＥＥＥ８０２．１１ｎパケットのためのパケット構造を示す。ＩＥＥＥ８０２．１１規格への１１ｎの追加は、ＩＥＥＥ８０２．１１互換デバイスにＭＩＭＯ機能を追加した。ＩＥＥＥ８０２．１１ａ／ｂ／ｇデバイスとＩＥＥＥ８０２．１１ｎデバイスの両方を含んでいるシステムに後方互換性を与えるために、ＩＥＥＥ８０２．１１ｎシステムのためのデータパケットは、それらが「レガシー」フィールドであることを示すためのプレフィックスＬとともに、Ｌ−ＳＴＦ４２２、Ｌ−ＬＴＦ４２４、およびＬ−ＳＩＧ４２６として知られる、これらの早期のシステムのＳＴＦフィールド、ＬＴＦフィールド、およびＳＩＧフィールドをも含む。ＩＥＥＥ８０２．１１ｎ環境において必要な情報をＳＴＡに与えるために、２つの追加の信号シンボル４４０および４４２がＩＥＥＥ８０２．１１ｎデータパケットに追加された。しかしながら、ＳＩＧフィールドおよびＬ−ＳＩＧフィールド４２６とは対照的に、これらの信号フィールドは（ＱＢＰＳＫ変調とも呼ばれる）回転ＢＰＳＫ変調を使用した。ＩＥＥＥ８０２．１１ａ／ｂ／ｇと動作するように構成されたレガシーデバイスがそのようなパケットを受信するとき、そのレガシーデバイスは、通常の１１／ｂ／ｇパケットとして、Ｌ−ＳＩＧフィールド４２６を受信および復号することができる。しかしながら、デバイスが追加のビットを復号し続けると、それらのビットは、Ｌ−ＳＩＧフィールド４２６の後のデータパケットのフォーマットが１１／ｂ／ｇパケットのフォーマットとは異なるので、正常に復号されないことがあり、このプロセス中にそのデバイスによって実行されるＣＲＣ検査は失敗することがある。これにより、これらのレガシーデバイスは、そのパケットの処理を停止するが、当初復号されたＬ−ＳＩＧ中の長さフィールドによって定義された時間期間が経過するまで、いずれのさらなる動作をも依然として延期する。対照的に、ＩＥＥＥ８０２．１１ｎとの互換性がある新しいデバイスは、ＨＴ−ＳＩＧフィールドにおける回転変調を検知し、そのパケットを８０２．１１ｎパケットとして処理することになる。さらに、１１ｎデバイスが、Ｌ−ＳＩＧ４２６に続くシンボル中でＱＢＰＳＫ以外の変調を検知した場合、１１ｎデバイスは１１／ｂ／ｇパケットとしてそのパケットを無視することができるので、１１ｎデバイスはパケットが１１／ｂ／ｇデバイスを対象とすることを見分けることができる。ＨＴ−ＳＩＧ１およびＳＩＧ２シンボルの後に、ＭＩＭＯ通信に好適な追加のトレーニングフィールドと、後続のデータ４２８とが与えられる。
【００６６】
[0078]図６に、ＩＥＥＥ８０２．１１ファミリーにマルチユーザＭＩＭＯ機能を追加した、現在存在するＩＥＥＥ８０２．１１ａｃ規格のためのフレームフォーマットを示す。ＩＥＥＥ８０２．１１ｎと同様に、８０２．１１ａｃフレームは、同じレガシーショートトレーニングフィールド（Ｌ−ＳＴＦ）４２２とレガシーロングトレーニングフィールド（Ｌ−ＬＴＦ）４２４とを含んでいる。８０２．１１ａｃフレームはまた、上記で説明したレガシー信号フィールドＬ−ＳＩＧ４２６を含んでいる。
【００６７】
[0079]次に、８０２．１１ａｃフレームは、長さが２シンボルの超高スループット信号（ＶＨＴ−ＳＩＧ−Ａ１  ４５０およびＡ２  ４５２）フィールドを含む。この信号フィールドは、１１／ｂ／ｇデバイスおよび１１ｎデバイスには存在しない１１ａｃ特徴に関する追加の構成情報を与える。ＶＨＴ−ＳＩＧ−Ａの第１のＯＦＤＭシンボル４５０は、パケットをリッスンする８０２．１１ｎデバイスが、パケットが８０２．１１ａパケットであると考えることができ、Ｌ−ＳＩＧ４２６の長さフィールドにおいて定義されているパケット長の持続時間の間、パケットに対して譲歩することができるように、ＢＰＳＫを使用して変調され得る。１１／ｇに従って構成されたデバイスは、Ｌ−ＳＩＧ４２６フィールドに続くサービスフィールドおよびＭＡＣヘッダを予想していることがある。それらのデバイスがこれを復号することを試みるとき、１１ｎパケットが１１ａ／ｂ／ｇデバイスによって受信されたときの手順と同様の形でＣＲＣ失敗が発生し得、１１／ｂ／ｇデバイスはまた、Ｌ−ＳＩＧフィールド４２６において定義された期間の間延期し得る。ＶＨＴ−ＳＩＧ−Ａの第２のシンボル４５２は９０度回転されたＢＰＳＫで変調される。この回転された第２のシンボルは、８０２．１１ａｃデバイスがそのパケットを８０２．１１ａｃパケットとして識別することを可能にする。ＶＨＴ−ＳＩＧＡ１  ４５０およびＡ２  ４５２フィールドは、帯域幅モードに関する情報、単一ユーザの場合の変調およびコーディング方式（ＭＣＳ）に関する情報、時空間ストリームの数（ＮＳＴＳ）に関する情報、および他の情報を含んでいる。ＶＨＴ−ＳＩＧＡ１  ４５０およびＡ２  ４５２はまた、「１」に設定された、いくつかの予約済みビットを含んでいることがある。レガシーフィールドならびにＶＨＴ−ＳＩＧＡ１およびＡ２フィールドは、利用可能な帯域幅の各２０ＭＨｚにわたって複製され得る。本明細書で説明するように、複製は、厳密なコピーを行うこと、または厳密なコピーであることを意味するために構築され得るが、フィールドなどが複製されたとき、いくつかの差が存在し得る。
【００６８】
[0080]ＶＨＴ−ＳＩＧ−Ａの後に、８０２．１１ａｃパケットは、多入力多出力（ＭＩＭＯ）送信における自動利得制御推定を改善するように構成されたＶＨＴ−ＳＴＦを含んでいることがある。８０２．１１ａｃパケットの次の１〜８つのフィールドはＶＨＴ−ＬＴＦであり得る。これらは、ＭＩＭＯチャネルを推定し、次いで、受信信号を等化するために使用され得る。送られるＶＨＴ−ＬＴＦの数は、ユーザごとの空間ストリームの数よりも大きいかまたはそれに等しいものであり得る。最終的に、データフィールドの前のプリアンブル中の最後のフィールドはＶＨＴ−ＳＩＧ−Ｂ４５４である。このフィールドはＢＰＳＫ変調され、パケット中の有用なデータの長さに関する情報を与え、マルチユーザ（ＭＵ）ＭＩＭＯパケットの場合、ＭＣＳを与える。シングルユーザ（ＳＵ）の場合、このＭＣＳ情報は、代わりに、ＶＨＴ−ＳＩＧＡ２中に含まれている。ＶＨＴ−ＳＩＧ−Ｂに続いて、データシンボルが送信される。
【００６９】
[0081]８０２．１１ａｃは様々な新しい特徴を８０２．１１ファミリーに導入し、１１／ｇ／ｎデバイスとの後方互換性があったプリアンブル設計をもつデータパケットを含み、また、１１ａｃの新しい特徴を実装するのに必要な情報を与えたが、多元接続のためのＯＦＤＭＡトーン割振りのための構成情報は１１ａｃデータパケット設計によって与えられない。ＩＥＥＥ８０２．１１、またはＯＦＤＭサブキャリアを使用する他のワイヤレスネットワークプロトコルの何らかの将来のバージョンにおいて、そのような特徴を実装するために新しいプリアンブル構成が望まれる。
【００７０】
[0082]図７に、後方互換多元接続ワイヤレス通信を可能にするために使用され得る物理レイヤパケットの例示的な構造を示す。この例示的な物理レイヤパケットには、Ｌ−ＳＴＦ４２２と、Ｌ−ＬＴＦ４２６と、Ｌ−ＳＩＧ４２６とを含むレガシープリアンブルが含まれる。様々な実施形態では、Ｌ−ＳＴＦ４２２、Ｌ−ＬＴＦ４２６、およびＬ−ＳＩＧ４２６の各々は、２０ＭＨｚを使用して送信され得、マルチプルなコピーが、ＡＰ１０４（図１）が使用する２０ＭＨｚのスペクトルごとに送信され得る。当業者は、図示された物理レイヤパケットが追加のフィールドを含み得ること、フィールドが並べ替えられ、除去され、および／またはリサイズされ得ること、ならびにフィールドの内容が変更され得ることを理解し得る。
【００７１】
[0083]このパケットはまた、ＨＥ−ＳＩＧ０シンボル４５５と、（長さが可変であり得る）１つまたは複数のＨＥ−ＳＩＧ１Ａシンボル４５７と、（図４のＶＨＴ−ＳＩＧ１Ｂフィールド４５４に類似することがある）オプションのＨＥ−ＳＩＧ１Ｂシンボル４５９とを含んでいる。様々な実施形態では、これらのフィールドの構造は、ＩＥＥＥ８０２．１１ａ／ｂ／ｇ／ｎ／ａｃデバイスとの後方互換性があることがあり、パケットがＨＥパケットであることをＯＦＤＭＡ  ＨＥデバイスにシグナリングすることもある。ＩＥＥＥ８０２．１１ａ／ｂ／ｇ／ｎ／ａｃデバイスとの後方互換性があるように、これらのシンボルの各々に関して適切な変調が使用され得る。いくつかの実装形態では、ＨＥ−ＳＩＧ０フィールド４５５はＢＰＳＫ変調で変調され得る。これは、やはりそれらの第１のＳＩＧシンボルをＢＰＳＫ変調させた８０２．１１ａｃパケットの現在の事例と同じ影響を、８０２．１１ａ／ｂ／ｇ／ｎデバイスに対して有し得る。これらのデバイスの場合、後続のＨＥ−ＳＩＧシンボル４５７に対する変調が何であるかは問題ではない。様々な実施形態では、ＨＥ−ＳＩＧ０フィールド４５５は、複数のチャネルにわたって変調され、繰り返され得る。
【００７２】
[0084]様々な実施形態では、ＨＥ−ＳＩＧ１Ａフィールド４５７は、ＢＰＳＫまたはＱＢＰＳＫ変調され得る。ＢＰＳＫ変調された場合、１１ａｃデバイスは、そのパケットが８０２．１１ａ／ｂ／ｇパケットであると仮定することができ、そのパケットを処理することを停止することができ、Ｌ−ＳＩＧ４２６の長さフィールドによって定義された時間の間、延期することができる。ＱＢＰＳＫ変調された場合、８０２．１１ａｃデバイスは、プリアンブル処理中にＣＲＣエラーを生み出すことがあり、そしてまた、そのパケットを処理することを停止することができ、Ｌ−ＳＩＧの長さフィールドによって定義された時間の間、延期することができる。これがＨＥパケットであることをＨＥデバイスにシグナリングするために、ＨＥ−ＳＩＧ１Ａ４５７の少なくとも第１のシンボルがＱＢＰＳＫ変調され得る。
【００７３】
[0085]ＯＦＤＭＡ多元接続通信を確立するために必要な情報は、ＨＥ−ＳＩＧフィールド４５５、４５７、および４５９中で様々な位置に配置され得る。様々な実施形態では、ＨＥ−ＳＩＧ０  ４５５は、持続時間指示と、（たとえば、２ビットであり得る）帯域幅指示と、（たとえば、３ビットであり得る）ＢＳＳカラーＩＤと、（たとえば、１ビットフラグであり得る）ＵＬ／ＤＬ指示と、（たとえば、４ビットであり得る）巡回冗長検査（ＣＲＣ）と、（たとえば、２ビットであり得る）クリアチャネルアセスメント（ＣＣＡ）指示とのうちの１つまたは複数を含むことができる。
【００７４】
[0086]様々な実施形態では、ＨＥ−ＳＩＧ１フィールド４５７は、ＯＦＤＭＡ動作のためのトーン割振り情報を含むことができる。図７の例は、４人の異なるユーザに、トーンの特定のサブバンドと、特定の数のＭＩＭＯ時空間ストリームとがそれぞれ割り当てられることを可能にすることができる。様々な実施形態では、１２ビットの時空間ストリーム情報は、１〜８つのストリームが各々に割り当てられ得るように、４人のユーザの各々について３ビットを可能にする。１６ビットの変調タイプデータは、４人のユーザの各々について４ビットを可能にし、４人のユーザの各々への、１６個の異なる変調方式（１６ＱＡＭ、６４ＱＡＭなど）のうちのいずれか１つの割当てを可能にする。１２ビットのトーン割振りデータは、特定のサブバンドが４人のユーザの各々に割り当てられることを可能にする。
【００７５】
[0087]（本明細書ではサブチャネルとも呼ぶ）サブバンド割振りのための１つの例示的なＳＩＧフィールド方式は、４人のユーザの各々にサブバンドトーンを割り振るために、６ビットグループＩＤフィールドならびに１０ビットの情報を含む。パケットを配信するために使用される帯域幅は、何らかの数のＭＨｚの倍数単位でＳＴＡに割り振られ得る。たとえば、帯域幅は、Ｂ  ＭＨｚの倍数単位でＳＴＡに割り振られ得る。Ｂの値は、１、２、５、１０、１５、または２０ＭＨｚなどの値であり得る。Ｂの値は、２ビット割振りグラニュラリティフィールドによって与えられ得る。たとえば、ＨＥ−ＳＩＧ１Ａ４５７は、４つの可能なＢの値を可能にする、１つの２ビットフィールドを含んでいることがある。たとえば、Ｂの値は、割振りグラニュラリティフィールド中の０〜３の値に対応する、５、１０、１５、または２０ＭＨｚであり得る。いくつかの態様では、０からＮまでの数を定義するｋビットのフィールドが、Ｂの値をシグナリングするために使用され得、ここで、０は柔軟性が最も低い（least flexible）オプション（最大グラニュラリティ）を表し、Ｎの高い値は柔軟性が最も高い（most flexible）オプション（最小グラニュラリティ）を表す。各Ｂ  ＭＨｚ部分はサブバンドと呼ばれることがある。
【００７６】
[0088]ＨＥ−ＳＩＧ１Ａ４５７はさらに、各ＳＴＡに割り振られるサブバンドの数を示すために、ユーザごとに２ビットを使用することができる。これは、０〜３つのサブバンドが各ユーザに割り振られることを可能にすることができる。ＯＦＤＭＡパケット中のデータを受信することができるＳＴＡを識別するために、グループｉｄ（Ｇ＿ＩＤ）が使用され得る。この６ビットＧ＿ＩＤは、この例では、特定の順序で、最高４つのＳＴＡを識別することができる。
【００７７】
[0089]ＨＥ−ＳＩＧシンボルの後に送られるトレーニングフィールドおよびデータは、各ＳＴＡに割り振られたトーンに従ってＡＰによって配信され得る。この情報は、潜在的にビームフォーミングされ得る。この情報をビームフォーミングすることは、ビームフォーミングされない送信よりも、より正確な復号を可能にすること、および／またはより大きな範囲を与えることなど、いくつかの利点を有することができる。
【００７８】
[0090]各ユーザに割り当てられた時空間ストリームに応じて、異なるユーザは異なる数のＨＥ−ＬＴＦ４６５を使用することができる。各ＳＴＡは、そのＳＴＡに関連付けられた各空間ストリームについてのチャネル推定を可能にする数のＨＥ−ＬＴＦ４６５を使用することができ、これは、一般に、空間ストリームの数に等しいかまたはそれよりも大きいことがある。ＬＴＦはまた、周波数オフセット推定および時間同期のために使用され得る。異なるＳＴＡが異なる数のＨＥ−ＬＴＦを受信し得るので、あるトーン上にＨＥ−ＬＴＦ情報と、他のトーン上にデータとを含んでいるシンボルがＡＰ１０４（図１）から送信され得る。
【００７９】
[0091]いくつかの態様では、同じＯＦＤＭシンボル上でＨＥ−ＬＴＦ情報とデータの両方を送ることは問題があることがある。たとえば、これはピーク対平均電力比（ＰＡＰＲ）をあまりに高いレベルに増加させることがある。したがって、代わりに、各ＳＴＡが少なくとも必要とされる数のＨＥ−ＬＴＦ４６５を受信するまで、送信されるシンボルのすべてのトーン上でＨＥ−ＬＴＦ４６５を送信することは有益であり得る。たとえば、各ＳＴＡは、ＳＴＡに関連付けられた空間ストリームごとに１つのＨＥ−ＬＴＦ４６５を受信する必要があることがある。したがって、ＡＰは、ＳＴＡに割り当てられた空間ストリームの最大数に等しい数のＨＥ−ＬＴＦ４６５を各ＳＴＡに送信するように構成され得る。たとえば、３つのＳＴＡに単一の空間ストリームが割り当てられたが、第４のＳＴＡには３つの空間ストリームが割り当てられた場合、この態様では、ＡＰは、ペイロードデータを含んでいるシンボルを送信する前に、ＨＥ−ＬＴＦ情報の４つのシンボルを４つのＳＴＡの各々に送信するように構成され得る。
【００８０】
[0092]所与のＳＴＡに割り当てられたトーンが隣接することは必要でない。たとえば、いくつかの実装形態では、異なる受信ＳＴＡのサブバンドはインターリーブされ得る。たとえば、ユーザ１およびユーザ２の各々は３つのサブバンドを受信するが、ユーザ４は２つのサブバンドを受信する場合、これらのサブバンドはＡＰ帯域幅全体にわたってインターリーブされ得る。たとえば、これらのサブバンドは、１、２、４、１、２、４、１、２などの順序でインターリーブされ得る。いくつかの態様では、サブバンドをインターリーブする他の方法が使用され得る。いくつかの態様では、サブバンドをインターリーブすることは、干渉の悪影響または特定のサブバンド上の特定のデバイスからの受信不良の影響を低減することができる。いくつかの態様では、ＡＰは、ＳＴＡが選好するサブバンド上でＳＴＡに送信することができる。たとえば、いくつかのＳＴＡは、他のサブバンド中でよりも、いくつかのサブバンド中でより良好な受信を有し得る。したがって、ＡＰは、ＳＴＡがどのサブバンド上でより良好な受信を有することができるかに少なくとも部分的に基づいて、ＳＴＡに送信することができる。いくつかの態様では、サブバンドはインターリーブされないこともある。たとえば、サブバンドは、代わりに、１、１、１、２、２、２、４、４として送信され得る。いくつかの態様では、サブバンドがインターリーブされるか否かはあらかじめ定義され得る。
【００８１】
[0093]図７の例では、パケットがＨＥパケットであることをＨＥデバイスにシグナリングするために、ＨＥ−ＳＩＧ０  ４５５シンボル変調が使用され得る。パケットがＨＥパケットであることをＨＥデバイスにシグナリングする他の方法も使用され得る。図７の例では、Ｌ−ＳＩＧ４２６は、ＨＥプリアンブルがレガシープリアンブルに続くことがあることをＨＥデバイスに指示する情報を含んでいることがある。たとえば、Ｌ−ＳＩＧ４２６は、Ｌ−ＳＩＧ４２６中のＱ信号に反応するＨＥデバイスに後続のＨＥプリアンブルの存在を示す、低エネルギーの１ビットコードをＱレール上に含んでいることがある。単一ビット信号が、パケットを送信するためにＡＰによって使用されるすべてのトーンにわたって拡散され得るので、極めて低い振幅のＱ信号が使用され得る。このコードは、ＨＥプリアンブル／パケットの存在を検出するために高効率デバイスによって使用され得る。レガシーデバイスのＬ−ＳＩＧ４２６検出感度は、Ｑレール上のこの低エネルギーコードによって著しく影響を及ぼされる必要がない。したがって、これらのデバイスは、Ｌ−ＳＩＧ４２６を読み取ることが可能であり、コードの存在に気づかないことがあるが、ＨＥデバイスはコードの存在を検出することが可能であり得る。この実装形態では、所望される場合、ＨＥ−ＳＩＧフィールドのすべてがＢＰＳＫ変調され得、このＬ−ＳＩＧシグナリングとともに、レガシー互換性に関して本明細書で説明する技法のいずれかが使用され得る。
【００８２】
[0094]様々な実施形態では、任意のＨＥ−ＳＩＧフィールド４５５〜４５９が、多重化されたユーザごとのユーザ固有変調タイプを定義するビットを含んでいることがある。たとえば、オプションのＨＥ−ＳＩＧ１Ｂ４５９フィールドが、多重化されたユーザごとのユーザ固有変調タイプを定義するビットを含んでいることがある。
【００８３】
[0095]いくつかの態様では、たとえば８０２．１１ａｘプロトコルに従って、ワイヤレス信号が低レート（ＬＲ）モードで送信され得る。詳細には、いくつかの実施形態では、ＡＰ１０４は、ＳＴＡ１０６と比較して、より大きい送信電力能力を有し得る。いくつかの実施形態では、たとえば、ＳＴＡ１０６は、ＡＰ１０４よりも数ｄＢ低いｄＢにおいて送信することができる。したがって、ＡＰ１０４からＳＴＡ１０６へのＤＬ通信は、ＳＴＡ１０６からＡＰ１０４へのＵＬ通信よりも高い範囲を有することができる。リンクバジェットを閉じるために、ＬＲモードが使用され得る。いくつかの実施形態では、ＬＲモードは、ＤＬ通信とＵＬ通信の両方において使用され得る。他の実施態様において、ＬＲモードは、ＵＬ通信のためにのみ使用される。
【００８４】
[0096]いくつかの実施形態では、レガシー通信システムとの後方互換性は、レガシープリアンブルの前に非表示（hidden）ＬＲプリアンブルを付けることによって与えられ得る。いくつかの実施形態では、後方互換性は、レガシープリアンブルの後にＬＲプリアンブルを付けることによって与えられ得る。様々な実施形態では、レガシープリアンブルは繰り返され得、ＬＲ−ＳＩＧは簡略化または省略され得る。様々な実施形態では、レガシープリアンブルは使用されず、ＬＲ−ＳＩＧが与えられる。
【００８５】
[0097]いくつかの実施形態では、ＨＥＷ  ＳＴＡ１０６は、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４ｍｓであり得、４ｘシンボル持続時間は１６ｍｓであり得る。したがって、様々な実施形態では、１ｘシンボルは本明細書ではレガシーシンボルと呼ばれることがあり、４ｘシンボルはＨＥＷシンボルと呼ばれることがある。他の実施形態では、異なる持続時間が可能である。
【００８６】
[0098]図８に、後方互換低レート多元接続ワイヤレス通信を可能にするために使用され得るアップリンク物理レイヤパケット８００の例示的な構造を示す。この例示的な物理レイヤパケット８００には、Ｌ−ＳＴＦ４２２と、Ｌ−ＬＴＦ４２６と、Ｌ−ＳＩＧ４２６とを含むレガシープリアンブル８０５が含まれる。様々な実施形態では、Ｌ−ＳＴＦ４２２、Ｌ−ＬＴＦ４２６、およびＬ−ＳＩＧ４２６の各々は、２０ＭＨｚを使用して送信され得、マルチプルなコピーが、ＡＰ１０４（図１）が使用する２０ＭＨｚのスペクトルごとに送信され得る。当業者は、図示された物理レイヤパケット８００が追加のフィールドを含み得ること、フィールドが並べ替えられ、除去され、および／またはリサイズされ得ること、ならびにフィールドの内容が変更され得ることを理解し得る。
【００８７】
[0099]このパケット８００はまた、ＬＲ部分８１５に先行する１つまたは複数のシンボル８１０を含んでいる。様々な実施形態では、シンボル８１０は、たとえば、１ｘ持続時間など、レガシー持続時間を有することができる。シンボル８１０は、ダミーシンボル、パディングシンボルなどと様々に呼ばれることがある。シンボル８１０は、たとえば、８０２．１１ａｃデバイス、または非ＬＲ８０２．１１ａｘデバイスなど、レガシーデバイスによって予想される持続時間のシンボルを与えるように働き得る。様々な実施形態では、シンボル８１０は長さが８μｓであり得る。他の実施形態では、シンボル８１０は他の長さを有し得る。
【００８８】
[00100]パケット８００のＬＲ部分８１５は、１つまたは複数のＯＦＤＭＡユーザの各々について、ＬＲ−ＳＴＦ８２０と、ＬＲ−ＬＴＦ８３０と、ＳＩＧ／データフィールド８４０とを含むことができる。図示の実施形態では、３人のユーザ１〜３が帯域幅を共有する。図示の実施形態では、ユーザ１のＬＲ−ＳＴＦ８２０Ａは３ｄＢだけブーストされ得、ユーザ２のＬＲ−ＳＴＦ８２０Ｂは３ｄＢだけブーストされ得、ユーザ３のＬＲ−ＳＴＦ８２０Ｃはオプションにより３ｄＢだけブーストされ得る。様々な他の実施形態では、無ブーストを含む、異なるブーストが適用され得る。いくつかの実施形態では、ＬＲ−ＳＴＦ８２０およびＬＲ−ＬＴＦ８３０はそれぞれ、長さが１６μｓであり得る。他の実施形態では、ＬＲ−ＳＴＦ８２０およびＬＲ−ＬＴＦ８３０は、他の長さを有し得る。
【００８９】
[00101]図９に、後方互換低レート多元接続ワイヤレス通信を可能にするために使用され得るアップリンク物理レイヤパケット９００の別の例示的な構造を示す。この例示的な物理レイヤパケット９００には、Ｌ−ＳＴＦ４２２と、Ｌ−ＬＴＦ４２６と、Ｌ−ＳＩＧ４２６とを含むレガシープリアンブル９０５が含まれる。様々な実施形態では、Ｌ−ＳＴＦ４２２、Ｌ−ＬＴＦ４２６、およびＬ−ＳＩＧ４２６の各々は、２０ＭＨｚを使用して送信され得、マルチプルなコピーが、ＡＰ１０４（図１）が使用する２０ＭＨｚのスペクトルごとに送信され得る。当業者は、図示された物理レイヤパケット９００が追加のフィールドを含み得ること、フィールドが並べ替えられ、除去され、および／またはリサイズされ得ること、ならびにフィールドの内容が変更され得ることを理解し得る。
【００９０】
[00102]このパケット９００はまた、レガシープリアンブル９０５に先行する非表示ＬＲ−ＳＴＦ９１０を含んでいる。非表示ＬＲ−ＳＴＦ９１０は、レガシーデバイスがＬＲ−ＳＴＦ９１０をパケット１０００の開始として解釈しないように符号化され得る。たとえば、いくつかの実施形態では、非表示ＬＲ−ＳＴＦ９１０は、Ｌ−ＳＴＦ４２２とは異なる周期性を有し得る。様々な実施形態では、非表示ＬＲ−ＳＴＦ９１０は、非ＬＲデバイスにＬＲ−ＳＴＦ９１０を復号することを無視または控えさせる他のパラメータまたは特性を有し得る。
【００９１】
[00103]レガシープリアンブル９０５の後に、パケット９００はＬＲ−ＳＩＧフィールド９２０を含む。様々な実施形態では、ＬＲ−ＳＩＧフィールド９２０は、たとえば、１ｘ持続時間など、レガシー持続時間を有することができる。いくつかの実施形態では、ＬＲ−ＳＩＧフィールド９２０は、ダミーシンボル、パディングシンボルなどであり得る。様々な実施形態では、ＬＲ−ＳＩＧフィールド９２０はそれぞれ、長さが少なくとも４μｓ、たとえば８μｓであり得る。他の実施形態では、ＬＲ−ＳＩＧフィールド９２０は他の長さを有し得る。いくつかの実施形態では、ＬＲ−ＳＩＧフィールド９２０は、たとえば、４ｘ持続時間など、ＬＲ持続時間を有することができる。ＬＲ−ＳＩＧフィールド９２０は、ＬＲ部分９１５のための定義変調特性を含むことができる。
【００９２】
[00104]パケット１０００のＬＲ部分１０１５は、１つまたは複数のＯＦＤＭＡユーザの各々について、ＬＲ−ＬＴＦ８３０と、データフィールド８４０とを含むことができる。図示の実施形態では、３人のユーザ１〜３が帯域幅を共有する。図示の実施形態では、非表示ＬＲ−ＳＴＦ９１０は、チャネル帯域幅全体にわたって送信され得る。いくつかの実施形態では、ＬＲ−ＳＴＦ９１０およびＬＲ−ＬＴＦ８３０はそれぞれ、長さが１６μｓであり得る。他の実施形態では、ＬＲ−ＳＴＦ９１０およびＬＲ−ＬＴＦ８３０は、他の長さを有し得る。
【００９３】
[00105]図１０に、後方互換低レート多元接続ワイヤレス通信を可能にするために使用され得るアップリンク物理レイヤパケット１０００の別の例示的な構造を示す。この例示的な物理レイヤパケット１０００には、Ｌ−ＳＴＦ４２２と、Ｌ−ＬＴＦ４２６と、Ｌ−ＳＩＧ４２６とを含むレガシープリアンブル１００５が含まれる。様々な実施形態では、Ｌ−ＳＴＦ４２２、Ｌ−ＬＴＦ４２６、およびＬ−ＳＩＧ４２６の各々は、２０ＭＨｚを使用して送信され得、マルチプルなコピーが、ＡＰ１０４（図１）が使用する２０ＭＨｚのスペクトルごとに送信され得る。当業者は、図示された物理レイヤパケット１０００が追加のフィールドを含み得ること、フィールドが並べ替えられ、除去され、および／またはリサイズされ得ること、ならびにフィールドの内容が変更され得ることを理解し得る。
【００９４】
[00106]このパケット１０００はまた、レガシープリアンブル９０５に先行する非表示ＬＲ−ＳＴＦ９１０を含んでいる。非表示ＬＲ−ＳＴＦ９１０は、レガシーデバイスがＬＲ−ＳＴＦ９１０をパケット１０００の開始として解釈しないように符号化され得る。たとえば、いくつかの実施形態では、非表示ＬＲ−ＳＴＦ９１０は、Ｌ−ＳＴＦ４２２とは異なる周期性を有し得る。様々な実施形態では、非表示ＬＲ−ＳＴＦ９１０は、非ＬＲデバイスにＬＲ−ＳＴＦ９１０を復号することを無視または控えさせる他のパラメータまたは特性を有し得る。
【００９５】
[00107]レガシープリアンブル１００５の後に、パケット１０００は、２つのシンボル１０１０Ａ〜１０１０Ｂ中でＬーＳＩＧ４２６を繰り返す。特に、ＳＴＡ１０６は、偶数および奇数サブキャリアトーンに従ってＬーＳＩＧ４２６を分割することができる。ＬーＳＩＧ４２６の奇数トーンは、第１のシンボル１０１０Ａ中で繰り返される。ＬーＳＩＧ４２６の偶数トーンは、第２のシンボル１０１０Ｂ中で繰り返される。様々な実施形態では、シンボル１０１０Ａ〜１０１０Ｂは、たとえば、１ｘ持続時間など、レガシー持続時間を有することができる。いくつかの実施形態では、ＬＲ−ＳＩＧフィールド９２０は、ダミーシンボル、パディングシンボルなどであり得る。様々な実施形態では、シンボル１０１０Ａ〜１０１０Ｂはそれぞれ、長さが４μｓであり得る。他の実施形態では、シンボル１０１０Ａ〜１０１０Ｂは他の長さを有し得る。
【００９６】
[00108]パケット１０００のＬＲ部分１０１５は、１つまたは複数のＯＦＤＭＡユーザの各々について、ＬＲ−ＬＴＦ８３０と、データフィールド８４０とを含むことができる。図示の実施形態では、３人のユーザ１〜３が帯域幅を共有する。図示の実施形態では、非表示ＬＲ−ＳＴＦ９１０は、チャネル帯域幅全体にわたって送信され得る。いくつかの実施形態では、ＬＲ−ＳＴＦ９１０およびＬＲ−ＬＴＦ８３０はそれぞれ、長さが１６μｓであり得る。他の実施形態では、ＬＲ−ＳＴＦ９１０およびＬＲ−ＬＴＦ８３０は、他の長さを有し得る。
【００９７】
[00109]図１１に、後方互換低レート多元接続ワイヤレス通信を可能にするために使用され得るアップリンク物理レイヤパケット１１００の別の例示的な構造を示す。この例示的な物理レイヤパケット１１００には、Ｌ−ＳＴＦ４２２と、Ｌ−ＬＴＦ４２６と、Ｌ−ＳＩＧ４２６とを含むレガシープリアンブル１１０５が含まれる。様々な実施形態では、Ｌ−ＳＴＦ４２２、Ｌ−ＬＴＦ４２６、およびＬ−ＳＩＧ４２６の各々は、２０ＭＨｚを使用して送信され得、マルチプルなコピーが、ＡＰ１０４（図１）が使用する２０ＭＨｚのスペクトルごとに送信され得る。当業者は、図示された物理レイヤパケット１１００が追加のフィールドを含み得ること、フィールドが並べ替えられ、除去され、および／またはリサイズされ得ること、ならびにフィールドの内容が変更され得ることを理解し得る。
【００９８】
[00110]このパケット１１００はまた、レガシープリアンブル９０５に先行する非表示ＬＲ−ＳＴＦ９１０を含んでいる。非表示ＬＲ−ＳＴＦ９１０は、レガシーデバイスがＬＲ−ＳＴＦ９１０をパケット１１００の開始として解釈しないように符号化され得る。たとえば、いくつかの実施形態では、非表示ＬＲ−ＳＴＦ９１０は、Ｌ−ＳＴＦ４２２とは異なる周期性を有し得る。様々な実施形態では、非表示ＬＲ−ＳＴＦ９１０は、非ＬＲデバイスにＬＲ−ＳＴＦ９１０を復号することを無視または控えさせる他のパラメータまたは特性を有し得る。
【００９９】
[00111]レガシープリアンブル１１０５の後に、パケット１１００は、４つのシンボル１１１０Ａ〜１０１０Ｄ中でＬーＳＩＧ４２６を繰り返す。図１０および図１１は、それぞれ、ＬーＳＩＧ４２６の２つおよび４つの繰り返しを示すが、繰り返しの他の数が可能である。特に、ＳＴＡ１０６は、繰り返しの数係数サブキャリアトーンの数（the number of subcarrier tones modulus the number of repetitions）に従ってＬーＳＩＧ４２６を分割することができる。したがって、０の係数（modulus）を有するトーンは第１のシンボル１１１０Ａ中で繰り返され、１の係数を有するトーンは第２のシンボル１１１０Ｂ中で繰り返され、２の係数を有するトーンは第３のシンボル１１１０Ｃ中で繰り返され、３の係数を有するトーンは第４のシンボル１１１０Ｄ中で繰り返され、以下同様である。様々な実施形態では、シンボル１１１０Ａ〜１０１０Ｄは、たとえば、１ｘ持続時間など、レガシー持続時間を有することができる。いくつかの実施形態では、ＬＲ−ＳＩＧフィールド９２０は、ダミーシンボル、パディングシンボルなどであり得る。様々な実施形態では、シンボル１１１０Ａ〜１０１０Ｂはそれぞれ、長さが４μｓであり得る。他の実施形態では、シンボル１１１０Ａ〜１０１０Ｂは他の長さを有し得る。
【０１００】
[00112]パケット１１００のＬＲ部分１１１５は、１つまたは複数のＯＦＤＭＡユーザの各々について、ＬＲ−ＬＴＦ８３０と、データフィールド８４０とを含むことができる。図示の実施形態では、３人のユーザ１〜３が帯域幅を共有する。図示の実施形態では、非表示ＬＲ−ＳＴＦ９１０は、チャネル帯域幅全体にわたって送信され得る。いくつかの実施形態では、ＬＲ−ＳＴＦ９１０およびＬＲ−ＬＴＦ８３０はそれぞれ、長さが１６μｓであり得る。他の実施形態では、ＬＲ−ＳＴＦ９１０およびＬＲ−ＬＴＦ８３０は、他の長さを有し得る。
【０１０１】
[00113]様々な実施形態では、ＳＴＡ１０６は、繰り返しシンボルの極性におけるＬＲ−ＳＩＧ情報を符号化することができる。たとえば、１を符号化するために、ＳＴＡ１０６は、シンボル１０１０Ａ中の繰り返しビットに−１を乗算することができ、０を符号化するために、ＳＴＡ１０６は、シンボル１０１０Ｂ中の繰り返しビットに１を乗算することができる、などである。様々な実施形態では、正および負の繰り返し極性は、それぞれ、０および１を表すことができる。他の実施形態では、異なる符号化が可能である。一実施形態では、情報ビット［０，１］が、変調ビット［１，−１］になることに留意されたい。シンボルの極性を変更することは、［０，１］の代わりにシンボルに＋−１を乗算することを意味する。
【０１０２】
[00114]様々な実施形態では、非表示ＬＲ−ＳＴＦ９１０は、Ｌ−ＳＴＦ４２４よりも長くなり得る。たとえば、非表示ＬＲ−ＳＴＦ９１０は、低減されたＳＮＲにおけるＨＥＷデバイスによる検出のために十分に長くなり得る。いくつかの実施形態では、ＳＴＡ１０６は、本明細書ではＳＴＦシーケンスにおける周期と呼ばれることもある、１つおきの非表示ＬＲ−ＳＴＦ９１０ショートの１つまたは複数のサンプルの符号をフリップすることができる。たとえば、周期Ｐ＝４をもついくつかの実施形態では、ＳＴＡ１０６は、非表示ＬＲ−ＳＴＦ９１０サンプルの符号を、＋＋＋＋、＋−−＋、＋＋＋＋、＋−−＋、＋＋＋＋、＋−−＋などのようにフリップすることができる。様々な実施形態では、ＳＴＡ１０６は、周期Ｐ自己相関器の出力を低減するかまたは最小限に抑えるために十分なフリッピングパターンを選定することができる。たとえば、例示的なフリッピングパターンは、２０ＭＨｚについて［１、−１、１、−１、−１、１、−１、１、−１、１、−１、１、１、−１、１、−１］を含み、より高いＢＷについて［１、−１］を交互にすることを含むことができる。上記の例は説明のためのものである。当業者は、上記の例が、他の周期、たとえば周期Ｐ＞４に適用され得ることを諒解されよう。
【０１０３】
[00115]一実施形態による、２つのショートの周期性に基づくそのような交互のサンプルの１つの有利な効果は、ＰＡＰＲが変化しないことである。一実施形態による、別の有利な効果は、（周期性を２倍にすることで）そのハードウェア処理設計が再利用され得ることである。したがって、設計およびデバッギング作業が、ハードウェアブロックサイズの比較的小さい増加で低減され得る。
【０１０４】
[00116]図１２に、非表示低レートショートトレーニングフィールドを検出するために使用され得る例示的な検出器１３００を示す。たとえば、検出器１３００は、非表示ＬＲ−ＳＴＦ９１０を検出するために、ＳＴＡ１０６および／またはＡＰ１０４において実装され得る。図示された検出器１３００は、遅延９１０と、アキュムレータ９２０Ａ〜９２０Ｂと、比較器９３０と、コンバイナ９４０と、ミキサ９５０Ａ〜９５０Ｄとを含む。図示のように、遅延９１０は長さ２Ｐを有し、アキュムレータ９２０Ａ〜９２０Ｂはそれぞれ、長さＱ−２Ｐを有する。
【０１０５】
[00117]図１３に、レガシー受信機と高効率ワイヤレス受信機の両方についての経時的な、例示的な正規化された相関器出力を示す。図示のように、レガシーデバイスとＨＥＷデバイスは両方とも、図１１のパケット１１００など、ＨＥＷパケットを受信する。ＨＥＷデバイスは非表示ＬＲ−ＳＴＦ９１０中に蓄積し続け、したがって、ＬＲパケット１１００の検出をより早期に開始する。一方、レガシーデバイスは、Ｌ−ＳＴＦ１１０５中に蓄積し始めるにすぎず、したがって、パケットの検出を後で開始する。
【０１０６】
[00118]図１４に、図１のワイヤレス通信システム１４０内で採用され得るワイヤレス通信の例示的な方法のための別のフローチャート１４００を示す。本方法は、図２に示されているワイヤレスデバイス２０２など、本明細書で説明するデバイスによって全部または一部が実装され得る。本明細書では、図示された方法について、図１に関して上記で説明したワイヤレス通信システム１００、ならびに図８〜図１１に関して上記で説明したパケット８００、９００、１０００、および１１００を参照しながら説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実行されるか、または省略され得、さらなるブロックが追加され得る。
【０１０７】
[00119]最初に、ブロック１４０２において、ワイヤレスデバイスが、第１のシンボル持続時間を有する第１の部分を含むパケットを生成する。パケットは、第１のシンボル持続時間よりも大きい第２のシンボル持続時間を有する第２の部分をさらに含む。第１の部分は第１のショートトレーニングフィールド（ＳＴＦ）を含む。
【０１０８】
[00120]たとえば、ＳＴＡ１０６は、ＡＰ１０４への送信のための図１１のパケット１１００を生成することができる。パケット１１００は、第１の部分であり得る、レガシー部分１１０５を含む。レガシー部分１１０５は、第１のシンボル持続時間であり得る、１ｘシンボル持続時間を有することができる。
【０１０９】
[00121]パケット１１００は、第２の部分であり得る、ＬＲ部分１１１５をさらに含む。ＬＲ部分１１１５は、第２のシンボル持続時間であり得る、４ｘシンボル持続時間を有することができる。レガシー部分１１０５は、第１のＳＴＦであり得る、Ｌ−ＳＴＦ４２２を含むことができる。
【０１１０】
[00122]次に、ブロック１４０４において、デバイスは、第１の部分に第２のＳＴＦをプリペンドまたはアペンドする。第２のＳＴＦは第２のシンボル持続時間を有する。たとえば、ＳＴＡ１０６は、第２のＳＴＦであり得る、ＬＲ−ＳＴＦ９１０をレガシー部分１１０５にプリペンドすることができる。別の例として、ＳＴＡ１０６は、第２のＳＴＦであり得る、ＬＲ−ＳＴＦ８２０Ａをレガシー部分８０５にアペンドすることができる。
【０１１１】
[00123]プリペンドする（前に加える）および／またはアペンドする（後ろに加える）こととして様々なフィールドについて本明細書で説明するが、いくつかの実施形態では、アペンドされるフィールドが最初に作成され、後続のフィールドがそれにプリペンドされ得るか、プリペンドされるフィールドが最初に作成され、後続のフィールドがそれにアペンドされ得るか、フィールドが同時に（simultaneously）または実質的に同時並行で（substantially concurrently）作成され得るか、あるいは本開示の範囲内でフィールドが他の順序で作成され得る。いくつかの実施形態では、アペンド／プリペンドすることは連続的に行われ得る。いくつかの実施形態では、アペンド／プリペンドされたフィールドは直接アペンド／プリペンドされ、他の実施形態では、介在フィールドが、同時に、後で、または場合によっては、アペンド／プリペンドされたフィールド間に挿入され得る。
【０１１２】
[00124]様々な実施形態では、前記プリペンドまたはアペンドすることは、第１の部分に第２のＳＴＦをプリペンドすることを含むことができる。第２のＳＴＦは、第１のＳＴＦの周期性とは異なる周期性を有することができる。様々な実施形態では、本方法は、第２のＳＴＦのための周期性の１つおきの倍数の１つまたは複数のサンプルの符号を反転させることをさらに含むことができる。
【０１１３】
[00125]様々な実施形態では、第２のトレーニングフィールドは、第１のトレーニングフィールドの周期性の少なくとも２倍の周期性を有することができる。いくつかの実施形態では、デバイスは、１つおきのサイクルにおいていくつかのサンプルの符号をフリップすることができる。いくつかの実施形態では、デバイスは、ある様式であらゆるサイクルの符号をフリップすることができる。いくつかの実施形態では、デバイスは、周期性を３倍にしたシーケンスを生成することができる。いくつかの実施形態では、デバイスは、既存のレガシーＳＴＦシーケンスの符号をフリップすることに基づかない、まったく異なるシーケンスを生成することができる。
【０１１４】
[00126]様々な実施形態では、パケットは第１の部分の後に信号フィールドをさらに含むことができ、信号フィールドは第２のシンボル持続時間を有する。様々な実施形態では、パケットは、第１の部分の後に１つまたは複数のシンボルをさらに含むことができる。シンボルは第１のシンボル持続時間を有することができる。
【０１１５】
[00127]様々な実施形態では、第１の部分は信号フィールドを含むことができる。第２の部分は信号フィールドの複数の繰り返し部分を含むことができる。繰り返し部分は第２のシンボル持続時間を有することができる。様々な実施形態では、信号フィールドのｎ個の繰り返し部分は、それぞれ、信号フィールドのキャリアトーンのサブセットを含むことができる。たとえば、信号フィールドのｎ個の繰り返し部分は、信号フィールドのあらゆるｎ番目のサブキャリアトーンを含むことができる。たとえば、ＳＴＡ１０６は、繰り返し１０１０Ａ〜１０１０Ｄを含む１回または複数回、Ｌ−ＳＩＧ４２６を繰り返すことができる。
【０１１６】
[00128]様々な実施形態では、前記プリペンドまたはアペンドすることは、第１の部分に第１のシンボル持続時間を有する１つまたは複数のシンボルをアペンドすることと、第２のＳＴＦの利得をブーストすることと、１つまたは複数のシンボルに第２のＳＴＦをアペンドすることとを含むことができる。たとえば、ＳＴＡ１０６は、ＬＲ−ＳＴＦ８２０の利得をオプションによりブーストすることができる。
【０１１７】
[00129]次いで、ブロック１４０６において、ワイヤレスデバイスはパケットを送信する。たとえば、ＳＴＡ１０６は、ＡＰ１０４にパケット１１００を送信することができる。様々な実施形態では、パケットは、スケジュールされたマルチユーザ（ＭＵ）直交周波数分割多元接続（ＯＦＤＭＡ）アップリンク（ＵＬ）パケットを含むことができる。様々な実施形態では、パケットは、スケジュールされていないシングルユーザ（ＳＵ）直交周波数分割多元接続（ＯＦＤＭＡ）アップリンク（ＵＬ）パケットを開始する。
【０１１８】
[00130]一実施形態では、図１４に示されている方法は、生成回路と、プリペンド／アペンド回路と、送信回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１１９】
[00131]生成回路は、パケットを生成するように構成され得る。いくつかの実施形態では、生成回路は、図１４の少なくともブロック１４０２を実行するように構成され得る。生成回路は、プロセッサ２０４（図２）、メモリ２０６（図２）、およびＤＳＰ２２０（図２）のうちの１つまたは複数を含むことができる。いくつかの実装形態では、生成するための手段は生成回路を含むことができる。
【０１２０】
[00132]プリペンド／アペンド回路は、第２のＳＴＦをプリペンドおよび／またはアペンドするように構成され得る。いくつかの実施形態では、プリペンド／アペンド回路は、図１４の少なくともブロック１４０４を実行するように構成され得る。プリペンド／アペンド回路は、プロセッサ２０４（図２）、メモリ２０６（図２）、およびＤＳＰ２２０（図２）のうちの１つまたは複数を含むことができる。いくつかの実装形態では、プリペンド／アペンドするための手段はプリペンド／アペンド回路を含むことができる。
【０１２１】
[00133]送信回路は、第１のメッセージと第２のメッセージとを一緒に送信するように構成され得る。いくつかの実施形態では、送信回路は、図１４の少なくともブロック１４０６を実行するように構成され得る。送信回路は、送信機２１０（図２）、アンテナ２１６（図２）、およびトランシーバ２１４（図２）のうちの１つまたは複数を含むことができる。いくつかの実装形態では、送信するための手段は送信回路を含むことができる。
【０１２２】
[00134]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２３】
[00135]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきであるとは限らない。
【０１２４】
[00136]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１２５】
[00137]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１２６】
[00138]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２７】
[00139]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。さらに、いくつかの態様では、コンピュータ可読媒体は一時的コンピュータ可読媒体（たとえば、信号）を含むことができる。上記の組合せもコンピュータ可読媒体の範囲内に含まれ得る。
【０１２８】
[00140]本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１２９】
[00141]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解され得る。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明した方法および技法をデバイスに与えるための任意の他の好適な技法が利用され得る。
【０１３０】
[00142]上記は本開示の態様を対象とするが、本開示の他の態様およびさらなる態様は、それの基本的範囲から逸脱することなく考案され得、それの範囲は以下の特許請求の範囲によって決定される。
【図１】
2020014218.tif 000003
【図２】
2020014218.tif 000004
【図３】
2020014218.tif 000005
【図４】
2020014218.tif 000006
【図５】
2020014218.tif 000007
【図６】
2020014218.tif 000008
【図７】
2020014218.tif 000009
【図８】
2020014218.tif 000010
【図９】
2020014218.tif 000011
【図１０】
2020014218.tif 000012
【図１１】
2020014218.tif 000013
【図１２】
2020014218.tif 000014
【図１３】
2020014218.tif 000015
【図１４】
2020014218.tif 000016
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスにおいて、第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を備える、方法。
【手続補正２】
【補正対象書類名】明細書
【補正対象項目名】０１３０
【補正方法】変更
【補正の内容】
【０１３０】
[00142]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ワイヤレス通信の方法であって、
ワイヤレスデバイスにおいて、第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を備える、方法。
［Ｃ２］  前記プリペンドまたはアペンドすることが、前記第１の部分に前記第２のトレーニングフィールドをプリペンドすることを備え、前記第２のトレーニングフィールドが、前記第１のトレーニングフィールドの周期性とは異なる周期性を有する、Ｃ１に記載の方法。
［Ｃ３］  前記第２のトレーニングフィールドが、前記第１のトレーニングフィールドの前記周期性の少なくとも２倍の周期性を有する、Ｃ２に記載の方法。
［Ｃ４］  前記パケットが前記第１の部分の後に信号フィールドをさらに備え、前記信号フィールドが前記第２のシンボル持続時間を有する、Ｃ２に記載の方法。
［Ｃ５］  前記パケットが前記第１の部分の後に１つまたは複数のシンボルをさらに備え、前記シンボルが前記第１のシンボル持続時間を有する、Ｃ２に記載の方法。
［Ｃ６］  前記第１の部分が信号フィールドを備え、
前記第２の部分が前記信号フィールドの複数の繰り返し部分を備え、前記繰り返し部分が前記第２のシンボル持続時間を有する、
Ｃ２に記載の方法。
［Ｃ７］  前記信号フィールドのｎ個の繰り返し部分が、それぞれ、前記信号フィールドのキャリアトーンのサブセットを備える、Ｃ６に記載の方法。
［Ｃ８］  前記プリペンドまたはアペンドすることが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を備える、Ｃ１に記載の方法。
［Ｃ９］  前記パケットが、スケジュールされたマルチユーザ（ＭＵ）直交周波数分割多元接続（ＯＦＤＭＡ）アップリンク（ＵＬ）パケットを備える、Ｃ１に記載の方法。
［Ｃ１０］  前記パケットが、スケジュールされていないシングルユーザ（ＳＵ）直交周波数分割多元接続（ＯＦＤＭＡ）アップリンク（ＵＬ）パケットを開始する、Ｃ１に記載の方法。
［Ｃ１１］  ワイヤレス通信の装置であって、
プロセッサであって、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
を行うように構成されたプロセッサと、
前記パケットを送信するように構成された送信機と
を備える、装置。
［Ｃ１２］  前記プロセッサが、前記第１の部分に前記第２のトレーニングフィールドをプリペンドするように構成され、前記第２のトレーニングフィールドが、前記第１のトレーニングフィールドの周期性とは異なる周期性を有する、Ｃ１１に記載の装置。
［Ｃ１３］  前記第２のトレーニングフィールドが、前記第１のトレーニングフィールドの前記周期性の少なくとも２倍の周期性を有する、Ｃ１２に記載の装置。
［Ｃ１４］  前記パケットが前記第１の部分の後に信号フィールドをさらに備え、前記信号フィールドが前記第２のシンボル持続時間を有する、Ｃ１２に記載の装置。
［Ｃ１５］  前記パケットが前記第１の部分の後に１つまたは複数のシンボルをさらに備え、前記シンボルが前記第１のシンボル持続時間を有する、Ｃ１２に記載の装置。
［Ｃ１６］  前記第１の部分が信号フィールドを備え、
前記第２の部分が前記信号フィールドの複数の繰り返し部分を備え、前記繰り返し部分が前記第２のシンボル持続時間を有する、
Ｃ１２に記載の装置。
［Ｃ１７］  前記信号フィールドのｎ個の繰り返し部分が、それぞれ、前記信号フィールドのキャリアトーンのサブセットを備える、Ｃ１５に記載の装置。
［Ｃ１８］  前記プロセッサが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を行うように構成された、Ｃ１１に記載の装置。
［Ｃ１９］  前記パケットが、スケジュールされたマルチユーザ（ＭＵ）直交周波数分割多元接続（ＯＦＤＭＡ）アップリンク（ＵＬ）パケットを備える、Ｃ１１に記載の装置。
［Ｃ２０］  前記パケットが、スケジュールされていないシングルユーザ（ＳＵ）直交周波数分割多元接続（ＯＦＤＭＡ）アップリンク（ＵＬ）パケットを開始する、Ｃ１１に記載の装置。
［Ｃ２１］  ワイヤレス通信の装置であって、
第１のシンボル持続時間を有する第１の部分と、前記第１のシンボル持続時間よりも大きい第２のシンボル持続時間を有する第２の部分とを備えるパケットを生成するための手段と、ここで、前記第１の部分が第１のトレーニングフィールドを備える、
前記第１の部分に第２のトレーニングフィールドをプリペンドまたはアペンドするための手段と、ここで、前記第２のトレーニングフィールドが前記第２のシンボル持続時間を有する、
前記パケットを送信するための手段と
を備える、装置。
［Ｃ２２］  プリペンドまたはアペンドするための前記手段が、前記第１の部分に前記第２のトレーニングフィールドをプリペンドするための手段を備え、前記第２のトレーニングフィールドが、前記第１のトレーニングフィールドの周期性とは異なる周期性を有する、Ｃ２１に記載の装置。
［Ｃ２３］  前記第２のトレーニングフィールドが、前記第１のトレーニングフィールドの前記周期性の少なくとも２倍の周期性を有する、Ｃ２２に記載の装置。
［Ｃ２４］  前記パケットが前記第１の部分の後に信号フィールドをさらに備え、前記信号フィールドが前記第２のシンボル持続時間を有する、Ｃ２２に記載の装置。
［Ｃ２５］  前記パケットが前記第１の部分の後に１つまたは複数のシンボルをさらに備え、前記シンボルが前記第１のシンボル持続時間を有する、Ｃ２２に記載の装置。
［Ｃ２６］  前記第１の部分が信号フィールドを備え、
前記第２の部分が前記信号フィールドの複数の繰り返し部分を備え、前記繰り返し部分が前記第２のシンボル持続時間を有する、
Ｃ２２に記載の装置。
［Ｃ２７］  前記信号フィールドのｎ個の繰り返し部分が、それぞれ、前記信号フィールドのキャリアトーンのサブセットを備える、Ｃ２５に記載の装置。
［Ｃ２８］  プリペンドまたはアペンドするための前記手段が、
前記第１の部分に前記第１のシンボル持続時間を有する１つまたは複数のシンボルをアペンドするための手段と、
前記第２のトレーニングフィールドの利得をブーストするための手段と、
前記１つまたは複数のシンボルに前記第２のトレーニングフィールドをアペンドするための手段と
を備える、Ｃ２１に記載の装置。
［Ｃ２９］  前記パケットが、スケジュールされたマルチユーザ（ＭＵ）直交周波数分割多元接続（ＯＦＤＭＡ）アップリンク（ＵＬ）パケットを備える、Ｃ２１に記載の装置。
［Ｃ３０］  非一時的コンピュータ可読媒体であって、
実行されたとき、装置に、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を行わせるコードを備える、非一時的コンピュータ可読媒体。
【外国語明細書】
2020014218000001.pdf